(57)【要約】      （修正有）【課題】安定、丈夫な組み合わせ固定効果を実現し、棚板が圧迫により落ち込むことを防げる組み合わせ式棚体及び棚板結合フックを提供する。【解決手段】棚板結合フックＡは、ボルト締め付け穴２４を有するメインボード２１と、２つのクリップ片２２と、一つのクリップ溝部と、を含むクリップ部２０と、メインボード横方向の一端に連設され、引っ掛け溝のフック誘導口の横幅が棚体１０の縦棒１２の径に対応する引っ掛け部３０と、引っ掛け溝の内壁に形成され、所定の夾角関係を形成する複数の当接面を有する多辺形をなす当接内周面と、それぞれメインボードと、２つのクリップ片のコーナー部に繋いで、斜面またはアーチ面状に形成され、メインボードにつながった引込み端と、クリップ片につながった突出し端とを含み、対応して組み合わせた棚板１１側面の上下側のコーナー部を圧迫する、２つのコーナー圧迫部と、を含む。【選択図】図３
0003215542.tif 000002
【実用新案登録請求の範囲】
【請求項１】
組み合わせ式棚体１０であって、
縦向きに延びて間隔をおいて配置された、複数の縦棒１２と、
上下に間隔をおいて前記縦棒１２の間に組み合わせて固定された、複数の棚板１１と、
前記棚板１１のコーナー部と、それに対応する前記縦棒１２をつなげる、複数の棚板結合フックＡと、を含み、
前記棚板結合フックＡは、
メインボード２１と、同じ方向に折れまがって前記メインボード２１上下側にそれぞれ設けられた２つのクリップ片２２と、前記メインボード２１と、対向する前記２つのクリップ片２２とに画定された一つのクリップ溝部２３と、を有するクリップ部２０であって、前記メインボード２１に一つのボルト締め付け穴２４が開けられ、前記２つのクリップ片２２の間で形成された前記クリップ溝部２３の高さが前記棚板１１の厚みと対応するクリップ部２０と、
前記クリップ部２０の前記メインボード２１横方向の一端に連設され、曲がりフック状プレート形態に形成されて、その内側に引っ掛け溝３１が画定され、前記引っ掛け溝３１に横向きのフック誘導口３２を有しており、前記フック誘導口３２の横幅が前記縦棒１２の棒径に対応する引っ掛け部３０と、
対応する前記縦棒１２の当接に用いられ、隣同士の間で所定の夾角関係をなす複数の当接面４１を有する、多辺形をなす当接内周面と、
前記クリップ部２０の前記メインボード２１と、前記２つのクリップ片２２のそれぞれとに接続するコーナー部１１５が斜面又はアーチ面いずれかの形態に形成され、引込み端５１と、突出し端５２とを含むコーナー圧迫部５０とを備え、
前記引込み端５１が前記メインボード２１に接続し、前記突出し端５２が前記クリップ片２２に接続し、２つの前記コーナー圧迫部５０は、対応の前記棚板１１側面上下側のコーナー部１１５の圧迫に用いることを特徴とする、組み合わせ式棚体１０。
【請求項２】
前記コーナー圧迫部５０の前記引込み端５１と、前記突出し端５２がアーチ面形態に形成されていて、かつ、前記棚板１１側面に前記コーナー圧迫部５０の上下側の前記コーナー部１１５の圧迫に提供する箇所が凹湾曲での谷状の形態に形成され、さらに、前記コーナー圧迫部５０のアーチ面のアーチが対応の前記コーナー部１１５で設けられた湾曲のアーチより大きく設けられていることを特徴とする、請求項１記載の組み合わせ式棚体１０。
【請求項３】
前記コーナー圧迫部５０の前記引込み端５１と、前記突出し端５２が斜面形態に形成されていて、かつ、前記引込み端５１と、前記突出し端５２との間の面の延在距離が２ｍｍより大きいことを特徴とする、請求項１記載の組み合わせ式棚体１０。
【請求項４】
前記引っ掛け部３０が前記引っ掛け溝３１の外壁に対応して、次のいずれかの形態、即ち前記多辺形をなす当接内周面４０の多辺形形態、またはアーチ面３３形態に設けられていることを特徴とする、請求項１、２または３のいずれか１項記載の組み合わせ式棚体１０。
【請求項５】
前記棚板１１の側面で、２つの前記コーナー圧迫部５０の上下側の前記コーナー部１１５への圧迫構造は、直角または面取り角いずれかの形態に設けられていることを特徴とする、請求項１、２または３のいずれか１項記載の組み合わせ式棚体１０。
【請求項６】
横方向の棚板１１と、前記棚板１１のコーナー部に対応する縦棒１２とを備えた組み合わせ式棚体１０の連結固定に用いるための棚板結合フックＡであって、
メインボード２１と、同じ方向に折れまがって前記メインボード２１上下側にそれぞれ設けられた２つのクリップ片２２と、前記メインボード２１と、対向する前記２つのクリップ片２２とに画定された一つのクリップ溝部２３と、を有するクリップ部２０であって、前記メインボード２１に一つのボルト締め付け穴２４が開けられ、前記２つのクリップ片２２の間で形成された前記クリップ溝部２３の高さが前記棚板１１の厚みと対応するクリップ部２０と、
前記クリップ部２０の前記メインボード２１横方向の一端に連設され、曲がりフック状プレート形態に形成されて、その内側に引っ掛け溝３１が画定され、前記引っ掛け溝３１に横向きのフック誘導口３２を有しており、前記フック誘導口３２の横幅が前記縦棒１２の棒径に対応する引っ掛け部３０と、
前記引っ掛け部３０の引っ掛け溝３１の内壁に形成され、隣同士の間で所定の夾角関係をなす複数の当接面４１を有する、多辺形をなす当接内周面４０と、
前記クリップ部２０の前記メインボード２１と、前記２つのクリップ片２２のそれぞれとに接続するコーナー部が斜面又はアーチ面いずれかの形態に形成され、引込み端５１と、突出し端５２とを含むコーナー圧迫部５０とを備え、
前記引込み端５１が前記メインボード２１に接続し、前記突出し端５２が前記クリップ片２２に接続し、２つの前記コーナー圧迫部５０は、対応の前記棚板１１側面上下側のコーナー部１１５の圧迫に用いることを特徴とする、棚板結合フックＡ。
【請求項７】
前記コーナー圧迫部５０の前記引込み端５１と、前記突出し端５２がアーチ面形態に形成されていて、かつ、前記棚板１１側面に前記コーナー圧迫部５０の上下側の前記コーナー部１１５の圧迫に提供する箇所が凹湾曲での谷状の形態に形成され、さらに、前記コーナー圧迫部５０のアーチ面のアーチが対応の前記コーナー部１１５で設けられた湾曲のアーチより大きく設けられていることを特徴とする、請求項６記載の棚板結合フックＡ。
【請求項８】
前記コーナー圧迫部５０の前記引込み端５１と、前記突出し端５２が斜面形態に形成されていて、かつ、前記引込み端５１と、前記突出し端５２との間の面の延在距離が２ｍｍより大きいことを特徴とする、請求項６記載の棚板結合フックＡ。
【請求項９】
前記引っ掛け部３０が前記引っ掛け溝３１の外壁に対応して、次のいずれかの形態、即ち前記多辺形をなす当接内周面４０の多辺形形態、またはアーチ面３３形態に設けられていることを特徴とする、請求項６、７または８のいずれか１項記載の棚板結合フックＡ。
【請求項１０】
前記棚板１１の側面で、２つの前記コーナー圧迫部５０の上下側の前記コーナー部１１５への圧迫構造は、直角または面取り角いずれかの形態に設けられていることを特徴とする、請求項６、７または８のいずれか１項記載の棚板結合フックＡ。
【考案の詳細な説明】
【技術分野】
【０００１】
本考案は組み合わせ式棚体構造に関し、特に組み合わせ式棚体の棚板結合フックに関わる新しい構造形態に関する。
【背景技術】
【０００２】
従来の棚体製品の固定式構造形態は構造が固定していて、搬送の不便さと、使用の可変性、柔軟性に欠けるなどの問題点が残るため、その後に製品業者は組み合わせ式の棚体製品形態を開発して、これに対応した。
【０００３】
現在、市場でよく見かける組み合わせ式棚体製品構造形態は多く、いちいち取り上げることはできない。本考案で提案したいものは、特に組み合わせ式棚体の棚板と、それぞれの縦棒同士が結合フックを用いて組み合わせ固定の形態を形成するものである。本考案は主に、そのうちの結合フック構成品について、検討と改良を図りたい。
【０００４】
結合フックの公知構造と、取り付け形態は、図１４〜１６に示す。公知の結合フックの構造面が主に、一体につながった引っ掛け部８１と、クリップ部８２とを含む。クリップ部８２のメインボード８２１と、上下側にある２つのクリップ片８２２の内側は、垂直コーナー（または垂直コーナーに近い）形態に形成されている。引っ掛け部８１は曲がりフック状のプレート形態を形成しており、その内側に半円形の当接壁８１１が形成されている。さらに、公知結合フックの取付状態は、引っ掛け部８１によって、組み合わせ式棚体に設けられた横断面で円形を形成する縦棒９１にひっかけた上、クリップ部８２によって、組み合わせ式棚体の棚板９２に対応する側面に嵌めあわせて、さらに、ボルト９３を用いてクリップ部８２と、棚板９２を締め付けて、組み合わせ固定されている。
【０００５】
前述した公知結合フックの構造形態を実際に適用したとき、なお多くの問題点が残る。その一例として、図１５に示すように、引っ掛け部８１の内側は、半円形当接壁８１１を介して横断面が円形の縦棒９１に係止される。しかし、結合フックは一般的に、プレス加工で成形するから、製品の許容差が大きい。よって、引っ掛け部８１内側の引っ掛け空間が縦棒９１の棒径に対して大きすぎることから、比較的大きい隙間Ｗ１が残される。引っ掛け部８１の半円形当接壁８１１と、縦棒９１との当接面積を図１５に示す横断面側から見たとき、一端のみの当接状態になっていて、組み合わせ固定状態が丈夫でない問題が残る。
【考案の概要】
【考案が解決しようとする課題】
【０００６】
引き続き、図１６を参照する。公知結合フックに設けられたクリップ部８２のメインボード８２１と、２つのクリップ片８２２内側が垂直コーナーまたは垂直コーナーに近い形態を形成するため、ボルト９３を締め付ける際、棚板９２の側面が直接にメインボード８２１に当接してしまい、この状態は一見して、丈夫のようだが、実際は、メインボード８２１に設けた貫通孔８２３と、ボルト９３との間は、どうしても隙間Ｗ２が残ってしまうのである。加えて、棚板９２と、２つのクリップ片８２２との間もこれに合わせて隙間Ｗ３（注：この合わせ隙間は通常、業界がわざと残したもので、棚板９２と、結合フックに設けたクリップ部８２が組立てられない問題を避ける対策である。）が残されている。そして、棚板９２を使用したときに、圧下力量Ｆを受け、緩んで下方に落ち込んで移動する現象を引き起こしてしまい、組み合わせ固定の強度が悪く、組み合わせ式棚体製品の品質に影響する問題となる。
【０００７】
本考案の主な目的は、組み合わせ式棚体及びその棚板結合フックを提供することである。解決しようとする技術課題は、公知組み合わせ式棚体の棚板の結合フックに存在した組み合わせ固定状態が丈夫でない問題点の解決を図り、より実用的、新しい組み合わせ式棚体及びその棚板結合フック構造態様を目指すものである。本考案の棚板結合フックは、組み合わせ式棚体の連結固定に用いるために、横方向の棚板と、棚板のコーナー部に対応する縦棒が設けられている。
【課題を解決するための手段】
【０００８】
本考案で問題解決に用いる技術特徴は、主に複数の縦棒と、複数の棚板と、複数の棚板結合フックとを含む。複数の縦棒が垂直に延びて間隔をおいて配置され、複数の棚板が上下に間隔をおいて前述した縦棒の間に組み合わせて固定され、複数の棚板結合フックがそれぞれ棚板のコーナー部と、それに対応する縦棒とつなぎ、複数の棚板結合フックは、クリップ部と、引っ掛け部と、断面で多辺形をなす当接内周面と、２つのコーナー圧迫部とを備え、クリップ部はメインボードと、同じ方向に折れまがって、それぞれメインボードの上下側に設けられた２つのクリップ片と、２つのクリップ片が対向して画定されたクリップ溝部と、を含む。そのうち、メインボードにボルト締め付け穴が開けられ、２つのクリップ片の間に形成されたクリップ溝部の高さが棚板の高さに対応しており、引っ掛け部がメインボード横方向の一端に連設されていて、引っ掛け部がフック状プレート形態に形成されて、その内側が対向してそれぞれ引っ掛け溝を画定し、係る引っ掛け溝が横向きのフック誘導口を有し、フック誘導口横方向の幅が縦棒の棒径に対応され、多辺形をなす当接内周面が引っ掛け部の内壁に形成され、多辺形をなす当接内周面は、隣接して所定の夾角関係を有する複数の当接面を含む。２つのコーナー圧迫部をそれぞれメインボードと２つのクリップ片に接続するコーナー部に設けて、斜面またはアーチ面いずれかの形態に形成し、それぞれのコーナー圧迫部は、引込み端と、突出し端とを含む。その中で、引込み端がメインボードと接続し、突出し端がクリップ片と接続し、２つのコーナー圧迫部は対応の棚板側面のコーナー部に当接して圧迫する。
【０００９】
このような独特な構造形態により、本考案は公知技術と対照的に、棚板結合フックの引っ掛け溝内部に設けられた多辺形をなす当接内周面の技術特徴により、棚板結合フックの引っ掛け部と、組み合わせ式棚体に設けられた縦棒同士の引っ掛け組み合わせ状態が多点に当接して安定な固定状態が構成される。一方、棚板結合フックがボルトによって組み合わせ式棚体に設けられた棚板に締め付けられた後、２つのコーナー圧迫部によって、対応の棚板側面の上下側コーナー部を圧迫し、棚板が棚板結合フックに対して、安定、しかも丈夫な組み合わせ固定効果を実現し、組み合わせ式棚体構成品の組み合わせ状態と製品の実用性と、技術的利点が大幅に向上される。
【考案の効果】
【００１０】
本考案で開示する組み合わせ式棚体及びその棚板結合フックは主に、棚板がクリップ部と、引っ掛け部と、断面で多辺形をなす当接内周面と、コーナー圧迫部等より構成される新しい独特構造形態により、本考案は公知技術と対照的に、引っ掛け溝内壁に設けられた多辺形をなす当接内周面の技術特徴により、棚板結合フックの引っ掛け部と、組み合わせ式棚体に設けられた縦棒同士の引っ掛け組み合わせ状態が多点に当接して安定な固定状態が構成される。一方、棚板結合フックがボルトによって組み合わせ式棚体に設けられた棚板に締め付けられた後、２つのコーナー圧迫部によって、対応の棚板側面の上下側コーナー部を圧迫し、棚板が棚板結合フックに対して、安定、しかも丈夫な組み合わせ固定効果を実現し、組み合わせ式棚体構成品の組み合わせ状態と製品の実用性と、技術的利点が大幅に向上されると共に、棚体の棚板の負荷力を有効に増強し、棚板が圧迫により落ち込むことを防げる実用上の技術的利点を有する。
【図面の簡単な説明】
【００１１】
【図１】本考案の組み合わせ式棚体の好ましい実施形態の立面組み合わせ図である。
【図２】本考案の図１の局所拡大図である。
【図３】本考案の図２の構成品の立面分解図である。
【図４】本考案の棚板結合フックの好ましい実施形態をもう一つの視角から見た立面図である。
【図５】本考案の引っ掛け部と、縦棒が多点の当接により、安定な固定効果を示す図（その１）である。
【図６】本考案の引っ掛け部と、縦棒が多点の当接により、安定な固定効果を示す図（その２）である。
【図７】本考案の引っ掛け部の外壁がアーチ面の実施態様図である。
【図８】本考案の棚板結合フックがボルトを用いて、棚体に締め付けられたとき、コーナー圧迫部を介して、棚板側面上下のコーナー部に与えられる圧迫効果を示す図（その１）である。
【図９】本考案の図８のＢ部の拡大図である。
【図１０】本考案の棚板結合フックがボルトを用いて、棚体に締め付けられたとき、コーナー圧迫部を介して、棚板側面上下のコーナー部に与えられる圧迫効果を示す図（その２）である。
【図１１】本考案の図１０のＣ部拡大図である。
【図１２】本考案のコーナー圧迫部が斜面の実施態様図である。
【図１３】本考案の組み合わせ式棚体に設けられた棚板が中空状フード状の実施態様図である。
【図１４】公知の棚板結合フックを組み合わせ式棚体に取り付けた立面図である。
【図１５】公知の棚板結合フックの引っ掛け部と、縦棒との単点の当接を示す図である。
【図１６】公知の棚板結合フックに設けられたクリップ部が、棚板と安定に当接して固定できない態様図である。
【考案を実施するための形態】
【００１２】
図１ないし７において、本考案の組み合わせ式棚体及びその棚板結合フックの好ましい実施形態を参照する。ただし、これらの実施形態は説明の目的に過ぎず、請求範囲はこれらの構造に限定されないものとする。
【００１３】
組み合わせ式棚体１０は、主に複数の縦棒１２と、複数の棚板１１と、複数の棚板結合フックＡとを含む。複数の縦棒１２が垂直に延びて間隔をおいて配置されている。複数の棚板１１が上下に間隔をおいて前述した縦棒１２の間に組み合わせて固定されている。複数の棚板結合フックＡをそれぞれ棚板１１のコーナー部と、それに対応する縦棒１２につなぐ。各棚板の結合フックＡは、それぞれ棚板１１のコーナー部と、それに対応する縦棒１２につないで固定し、各棚板結合フックＡは、それぞれの棚板１１のコーナー部と、それに対応する縦棒１２に連結して固定され、棚板結合フックＡは、メインボード２１を有するクリップ部２０と、同じ方向に折れまがってそれぞれメインボード２１の上下側に取り付けられた２つのクリップ片２２と、メインボード２１と対向する２つのクリップ片２２とに画定されたクリップ溝部２３と、断面で多辺形をなす当接内周面４０と、２つのコーナー圧迫部５０と、を含む。その中で、メインボード２１にボルト締め付け穴２４が開けられ、２つのクリップ片２２の間で形成されたクリップ溝部２３の高さが棚板１１の厚みに対応しており（すなわち、クリップ溝部２３の高さが棚板１１の厚みを下回らない）、引っ掛け部３０がクリップ部２０のメインボード２１横方向の一端に連設され、引っ掛け部３０が折れまがったフック状プレートを形成し、その内側に引っ掛け溝３１が画定され、引っ掛け溝３１に横向きのフック誘導口３２を有し、フック誘導口３２の横幅が縦棒１２の棒径に対応しており（すなわち、フック誘導口３２の横幅が縦棒１２の棒径を下回らない）、多辺形をなす当接内周面４０を引っ掛け部３０の引っ掛け溝３１の内壁に形成し、係る多辺形をなす当接内周面４０が隣り合わせて所定の夾角関係を有する複数の当接面４１を含む。２つのコーナー圧迫部５０それぞれをクリップ部２０のメインボード２１と、２つのクリップ片２２と接続するコーナー部が斜面又はアーチ面いずれかの形態を形成し、各コーナー圧迫部５０が引込み端５１と、突出し端５２を含む。そのうち、引込み端５１がメインボード２１と接続し、突出し端５２がクリップ片２２と接続し、２つのコーナー圧迫部５０をそれぞれ対応の棚板１１側面下方のコーナー部１１５の当接圧迫に用いられる。
【００１４】
図４、８、９を参照する。本実施例において、コーナー圧迫部５０の引込み端５１と、突出し端５２がアーチ面形態を形成していて、かつ、棚板１１側面にコーナー圧迫部５０が上下側のコーナー部１１５を圧迫する箇所が凹湾曲での谷状の形態を形成し、さらに、コーナー圧迫部５０のアーチ面のアーチが対応のコーナー部１１５で設けられた湾曲のアーチより大きく設けられる。
【００１５】
図１２を参照する。本実施例において、コーナー圧迫部５０Ｂの引込み端５１Ｂと、突出し端５２Ｂが斜面形態を形成していて、かつ、引込み端５１Ｂと、突出し端５２Ｂとの間の面の延在距離（Ｌ１に示す）が２ｍｍより大きい。
【００１６】
その中で、引っ掛け部３０が引っ掛け溝３１の外壁に対応して、次のいずれかの形態、即ち多辺形をなす当接内周面４０の多辺形形態（図４、５に示す）、または図７に示す、アーチ面３３形態に設けられている。
【００１７】
その中で、棚板１１の側面で、２つのコーナー圧迫部５０の上下側のコーナー部１１５への圧迫構造は、凹湾曲での谷状の形態（図９に示す）または直角な谷状の形態いずれかの形態（図示されない）に設けられている。
【００１８】
前述した構造の構成形態と、技術特徴により、本考案で開示する棚板結合フックＡを実際に適用したときは、図５に示すように、まず、棚板結合フックＡと、縦棒１２の組み合わせ固定について、引っ掛け部３０が引っ掛け溝３１によって、縦棒１２に引っ掛けられていて、さらに、多辺形をなす当接内周面４０の新しい形態設計により、所定の夾角関係を持つ複数の当接面４１を有する。よって、引っ掛け溝３１の幅が縦棒１２棒径に近いとき、縦棒１２と、引っ掛け部３０を横断面視角から見たとき、多点式であって大きい当接面積の優れた当接固定効果が得られる（図示４つの中空状矢印を参照）。引き続き、図６に示すように、縦棒１２と、引っ掛け部３０に生産プロセスで公差が大きく、大きい隙間（Ｈ１に示す）が存在していても、多辺形をなす当接内周面４０と、縦棒１２との間はなお、複数点の当接固定効果が達成できる（図示２つの中空状矢印を参照）。続いて、棚板結合フックＡと、棚板１１の組み合わせ固定は、図８、９に示すように、クリップ部２０のクリップ溝部２３によって、対応の棚板１１側面に装着した上、ボルト６０をメインボード２１のボルト締め付け穴２４に通して、棚板１１の側面に締め付ける。ボルト６０を締め付けると、棚板１１の側面がクリップ部２０のクリップ溝部２３の一番内側に押し込まれ、かつ、棚板１１側面の上下側のコーナー部１１５がそれぞれ２つのコーナー圧迫部５０によって圧迫される。このとき、コーナー圧迫部５０が斜面又はアーチ面形態を形成しているため、棚板１１側面の上下側のコーナー部１１５はボルト６０の締め付けのきつさに従って、コーナー圧迫部５０によってきつく圧迫される。たとえ図１０，１１に示すように、棚板１１Ｂが製造の誤差により、クリップ部２０のクリップ片２２に大きい隙間（図Ｈ２に示す）が存在しても、棚板１１側面の上下側のコーナー部１１５はやはりボルト６０の締め付けによって、コーナー圧迫部５０に圧迫固定される。すなわち、コーナー圧迫部５０の技術特徴によれば、棚板１１Ｂと、クリップ片２２の間に存在する隙間の大小に拘らず、棚板１１Ｂを確実に固定させ、これは圧迫により下方に落ち込む恐れはない。
【００１９】
ここで補足説明したいことは、多辺形をなす当接内周面４０の隣り合わせた当接面４１の夾角は、１２０〜１６０度の間が合理的な実施形態である。このほか、棚板の材質は木材板材または金属板材に限られない。この部分は図８に示した棚板１１では中実の板材が実施されている。さらに、図１３に示す棚板１１Ｃは、金属プレートから仕上げられた中空状フードが実施されている。
【符号の説明】
【００２０】
（本考案）
Ａ  棚板結合フック
１０  組み合わせ式棚体
１１、１１Ｂ、１１Ｃ  棚板
１１５  コーナー部
１２  縦棒
２０  クリップ部
２１  メインボード
２２  クリップ片
２３  クリップ溝部
２４  ボルト締め付け穴
３０  引っ掛け部
３１  引っ掛け溝
３２  フック誘導口
３３  アーチ面
４０  多辺形をなす当接内周面
４１  当接面
５０  コーナー圧迫部
５１  引込み端
５２  突出し端
６０  ボルト
（公知技術）
８１  引っ掛け部
８１１  半円形当接壁
８２  クリップ部
８２１  メインボード
８２２  クリップ片
８２３  貫通孔
９１  縦棒
９２  棚板
９３  ボルト
【図１】
0003215542.tif 000003
【図２】
0003215542.tif 000004
【図３】
0003215542.tif 000005
【図４】
0003215542.tif 000006
【図５】
0003215542.tif 000007
【図６】
0003215542.tif 000008
【図７】
0003215542.tif 000009
【図８】
0003215542.tif 000010
【図９】
0003215542.tif 000011
【図１０】
0003215542.tif 000012
【図１１】
0003215542.tif 000013
【図１２】
0003215542.tif 000014
【図１３】
0003215542.tif 000015
【図１４】
0003215542.tif 000016
【図１５】
0003215542.tif 000017
【図１６】
0003215542.tif 000018